(57)【要約】【課題】洗浄の作業負担を軽減し、工事性が良好な洗浄装置を提供する。【解決手段】洗浄装置１は、部屋の壁側に設けられて収納空間１６を形成するカバー１０と、部屋の内部を移動する移動部２３及び移動部２３の移動に伴って部屋を洗浄する洗浄部２４を有し、収納空間１６に収納され、移動部２３の移動でカバー１０の外部に露出する移動体２０と、を備える。【選択図】図４
2016087547.tif 000002
【特許請求の範囲】
【請求項１】
部屋の壁側に設けられて収納空間を形成するカバーと、
前記部屋の内部を移動する移動部及び前記移動部の移動に伴って前記部屋を洗浄する洗浄部を有し、前記収納空間に収納され、前記移動部の移動で前記カバーの外部に露出する移動体と、
を備える洗浄装置。
【請求項２】
前記移動体は、
中空状の本体と、
前記本体の内部に設けられ、前記部屋の空気を吸い込んで前記移動部が前記部屋の壁に吸着するように吸着力を発生させるファンと、を有する請求項１記載の洗浄装置。
【請求項３】
前記移動体は、
前記移動部が前記本体の側面に設けられ、前記移動部の最外側部は、前記本体よりも外側に張り出している請求項２記載の洗浄装置。
【請求項４】
前記本体は、
前記部屋の空気が通る吸気口を有し、
前記移動体は、
前記吸気口の外側を囲うように設けられ、前記本体と前記部屋の壁との間の気密性を高める気密部材を有する請求項２又は３記載の洗浄装置。
【請求項５】
前記移動体は、
夫々前記移動部及び前記洗浄部を有する複数の移動ユニットを有し、
複数の前記移動ユニットは、連結部で連結されている請求項１〜４のいずれか１項に記載の洗浄装置。
【請求項６】
前記移動体の進行方向側の前記移動ユニットは、
洗浄剤を吐出する第１の吐出部を有し、
前記移動体の進行方向とは反対側の前記移動ユニットは、
前記洗浄剤をすすぐ水を吐出する第２の吐出部を有する請求項５記載の洗浄装置。
【請求項７】
前記移動体の進行方向側の前記移動ユニットは、
アルカリ性電解水を吐出する第１の吐出部を有し、
前記移動体の進行方向とは反対側の前記移動ユニットは、
酸性電解水を吐出する第２の吐出部を有する請求項５又は６記載の洗浄装置。
【請求項８】
前記移動体の進行方向側の前記移動ユニットは、
オゾン水を吐出する第１の吐出部を有し、
前記移動体の進行方向とは反対側の前記移動ユニットは、
オゾン水を吐出する第２の吐出部を有する請求項５〜７のいずれか１項に記載の洗浄装置。
【請求項９】
前記カバーは、
前記移動体が露出するときに開き、前記移動体が収納されるときに閉じる請求項１〜８のいずれか１項に記載の洗浄装置。
【請求項１０】
電源と前記移動体との間で送受信される電気信号を伝導する電線を有し、前記電源と前記移動体とを接続する接続部
を更に備える請求項１〜９のいずれか１項に記載の洗浄装置。
【請求項１１】
前記接続部は、
洗浄剤又は水が流通するチューブを有する請求項１０記載の洗浄装置。
【請求項１２】
前記接続部は、柔軟性を有しており、
前記接続部の長さを調整する接続長調整部
を更に備える請求項１０又は１１記載の洗浄装置。
【請求項１３】
前記接続長調整部は、
前記移動体が前記収納空間に収納されるように前記接続部の長さを短くする請求項１２記載の洗浄装置。
【請求項１４】
前記接続長調整部は、
前記移動体が前記部屋の床に到達するように前記接続部の長さを長くする請求項１２又は１３記載の洗浄装置。
【請求項１５】
液体を霧化する超音波振動子を更に備え、
前記超音波振動子は、洗浄剤を霧化する請求項１〜１４のいずれか１項に記載の洗浄装置。
【請求項１６】
オゾン水又は電解水が、洗浄剤として用いられる請求項１〜１５のいずれか１項に記載の洗浄装置。
【請求項１７】
前記移動体は、
前記部屋の側壁において、前記部屋の内部の上方から下方に向かって、螺旋状に移動する請求項１〜１６のいずれか１項に記載の洗浄装置。
【請求項１８】
前記移動体は、
一周おきに移動方向が逆転する請求項１７記載の洗浄装置。
【請求項１９】
前記移動体の操作を受け付ける操作部が前記部屋の外に設けられている請求項１〜１８のいずれか１項に記載の洗浄装置。
【請求項２０】
前記移動体の操作が行われる場合、前記移動体の操作が行われる旨を報知する報知部が前記操作部に設けられている請求項１９記載の洗浄装置。
【請求項２１】
前記水は、温水である請求項１〜２０のいずれか１項に記載の洗浄装置。
【請求項２２】
前記部屋の空気を排気する送風機を更に備え、
前記送風機は、
前記移動体が前記部屋を洗浄した後に、前記部屋の空気を排気する請求項１〜２１のいずれか１項に記載の洗浄装置。
【請求項２３】
前記移動体の動作を制御する制御部を更に備える請求項１〜２２のいずれか１項に記載の洗浄装置。
【請求項２４】
前記部屋の形状を検知する形状検知部又は前記移動体の位置を検知する位置検知部を更に備え、
前記制御部は、
前記形状検知部又は前記位置検知部の検知結果に基づいて、前記移動体の動作を制御するものである請求項２３記載の洗浄装置。
【請求項２５】
前記部屋の窓又は扉の開閉を検知する開閉検知部を更に備え、
前記制御部は、
前記開閉検知部において前記窓又は前記扉が閉じていることが検知された場合、前記移動体が動作することを許容するものである請求項２３又は２４記載の洗浄装置。
【請求項２６】
前記制御部は、
前記開閉検知部において前記窓又は前記扉が開いていることが検知された場合、前記移動体の動作を停止するものである請求項２５記載の洗浄装置。
【請求項２７】
前記部屋に人がいることを検知する人検知部を更に備え、
前記制御部は、
前記人検知部において前記部屋に人がいることが検知された場合、前記移動体の動作を停止するものである請求項２３〜２６のいずれか１項に記載の洗浄装置。
【請求項２８】
前記部屋の照明の点灯又は消灯を検知する点灯検知部を更に備え、
前記制御部は、
前記点灯検知部において前記照明が消灯していることが検知された場合、前記移動体が動作することを許容するものである請求項２３〜２７のいずれか１項に記載の洗浄装置。
【請求項２９】
前記カバーは、
前記部屋の形状を検知する形状検知部、前記移動体の位置を検知する位置検知部、前記部屋の窓又は扉の開閉を検知する開閉検知部、前記部屋に人がいることを検知する人検知部及び前記部屋の照明の点灯又は消灯を検知する点灯検知部のうち少なくとも一つが設けられている請求項１〜２８のいずれか１項に記載の洗浄装置。
【発明の詳細な説明】
【技術分野】
【０００１】
本発明は、浴室等を洗浄する洗浄装置に関する。
【背景技術】
【０００２】
従来より、浴室の壁面を洗浄する壁面洗浄装置において、ユーザの浴室洗浄の作業負担を軽減しようとする技術が提案されている（特許文献１参照）。特許文献１には、浴室の壁面に沿うように設けられた枠体が、上下方向に移動しつつ壁面を洗浄する壁面洗浄装置が開示されている。
【先行技術文献】
【特許文献】
【０００３】
【特許文献１】特開平４−２０３１３号公報（第１図、第３図）
【発明の概要】
【発明が解決しようとする課題】
【０００４】
しかしながら、特許文献１に開示された壁面洗浄装置は、浴室の床面及び浴槽を洗浄することができない。このため、洗浄の作業負担を軽減する効果が低い。また、壁面洗浄装置は、浴室の壁面に沿う枠体を有しているため、規模が大きい。このため、浴室に取り付ける作業に手間がかかり、工事性が悪い。
【０００５】
本発明は、上記のような課題を背景としてなされたもので、洗浄の作業負担を軽減し、工事性が良好な洗浄装置を提供するものである。
【課題を解決するための手段】
【０００６】
本発明に係る洗浄装置は、部屋の壁側に設けられて収納空間を形成するカバーと、部屋の内部を移動する移動部及び移動部の移動に伴って部屋を洗浄する洗浄部を有し、収納空間に収納され、移動部の移動でカバーの外部に露出する移動体と、を備える。
【発明の効果】
【０００７】
本発明によれば、移動体は、部屋の内部を移動する移動部を有している。このため、洗浄の作業負担が軽くなり、また、工事性が良好である。
【図面の簡単な説明】
【０００８】
【図１】本発明の実施の形態１における浴室２の外観を示す斜視図である。
【図２】本発明の実施の形態１における浴室２の内観を示す斜視図である。
【図３】本発明の実施の形態１における浴室２の内観を示す斜視図である。
【図４】本発明の実施の形態１に係る洗浄装置１及び筐体３０を示す分解斜視図である。
【図５】本発明の実施の形態１におけるカバー１０を示す斜視図である。
【図６】本発明の実施の形態１における移動体２０を示す斜視図である。
【図７】本発明の実施の形態１における移動体２０を示す斜視図である。
【図８】本発明の実施の形態１における移動体２０を示す斜視図である。
【図９】本発明の実施の形態１における移動体２０を示す断面図である。
【図１０】本発明の実施の形態１における接続部４０を示す断面図である。
【図１１】本発明の他の実施の形態における接続部４０を示す断面図である。
【図１２】本発明の他の実施の形態における接続部４０を示す断面図である。
【図１３】本発明の他の実施の形態における接続部４０を示す断面図である。
【図１４】本発明の他の実施の形態における接続部４０を示す断面図である。
【図１５】本発明の実施の形態１に係る洗浄装置１の洗浄動作を示す断面図である。
【図１６】本発明の実施の形態１に係る洗浄装置１の洗浄動作を示す断面図である。
【図１７】本発明の実施の形態１に係る洗浄装置１の洗浄動作を示す断面図である。
【図１８】本発明の実施の形態１に係る洗浄装置１の洗浄動作を示す断面図である。
【図１９】本発明の実施の形態１に係る洗浄装置１の浴槽２ｄの洗浄動作を示す断面図である。
【図２０】本発明の実施の形態１に係る洗浄装置１の浴槽２ｄの洗浄動作を示す断面図である。
【図２１】本発明の実施の形態１に係る洗浄装置１の浴槽２ｄの洗浄動作を示す断面図である。
【図２２】本発明の実施の形態１に係る洗浄装置１の浴槽２ｄの洗浄動作を示す断面図である。
【図２３】本発明の実施の形態１に係る洗浄装置１の浴槽２ｄの洗浄動作を示す断面図である。
【図２４】本発明の実施の形態１における制御部５０を示すブロック図である。
【図２５】本発明の実施の形態１に係る洗浄装置１の動作を示すフローチャートである。
【図２６】本発明の実施の形態２に係る洗浄装置１００を示す斜視図である。
【発明を実施するための形態】
【０００９】
以下、本発明に係る洗浄装置の実施の形態について、図面を参照しながら説明する。なお、以下に説明する実施の形態によって本発明が限定されるものではない。また、図１を含め、以下の図面では各構成部材の大きさの関係が実際のものとは異なる場合がある。
【００１０】
実施の形態１．
図１は、本発明の実施の形態１における浴室２の外観を示す斜視図である。図１に示すように、部屋、例えば浴室２は、直方体状のユニットバスであり、側壁５には、窓２ａが設けられており、窓２ａの近傍には、窓２ａの開閉を検知する開閉検知部５１が設けられている。また、側壁５には、入退室時に開閉される扉２ｂが設置されており、扉２ｂの上部には、扉２ｂの開閉を検知する開閉検知部５１が設けられている。また、浴室２の外側において、扉２ｂが設置された側壁５には、浴室２に設けられた各機器の操作を受け付ける操作部６が設けられている。このように、操作部６は浴室２の外側に設けられているため、浴室２の洗浄動作を、浴室２の外から操作することができる。このため、浴室２の洗浄時に、人が浴室２に入室する必要がない。また、操作部６は浴室２の外に設けられているため、ユーザの利便性が向上する。
【００１１】
また、操作部６には、機器の操作が行われる場合、機器の操作が行われる旨を報知する報知部７が設けられている。これにより、浴室２の洗浄時等に浴室２に人が立ち入ることを抑制し、また、浴室２の洗浄時等に浴室２から人が退室することを促すことができる。なお、報知部７は、例えばスピーカ又は液晶表示装置等である。そして、天井３には、内部に機器等が収納された筐体３０が取り付けられており、筐体３０の排気口３５において、筐体３０の内部側には、筐体３０の内部に設けられた送風機（図示せず）の吹出口が接続されている。また、筐体３０の排気口３５において、筐体３０の外部側には、排気用ダクト配管３６が接続されている。これにより、浴室２内の空気が屋外に排気される。また、送風機は、浴室２内の乾燥にも用いられる。なお、筐体３０には、浴室２に温風等を送る送風機（図示せず）、水を霧化してミストサウナを発生させる超音波振動子（図示せず）が設けられている。超音波振動子は、水のほかに、洗浄剤を霧化してもよい。この場合、霧化した洗浄剤が浴室２内に散布され、洗浄効果を高めることができる。
【００１２】
図２は、本発明の実施の形態１における浴室２の内観を示す斜視図であり、浴室２の内観を床下側からみた図である。なお、図２では、２方の側壁５が省略されている。図２に示すように、床４には、浴槽２ｄが設置されている。また、扉２ｂの上部には、人がいることを検知する人検知部５２が設けられている。人検知部５２は、赤外線センサとしてもよいし、カメラとしてもよい。また、側壁５には、照明２ｃが設置されている。そして、照明２ｃの近傍には、照明２ｃの点灯又は消灯を検知する点灯検知部５３が設けられている。また、天井３には、浴室２の形状を検知する形状検知部５４と、洗浄装置１における移動体２０（図４参照）の位置を検知する位置検知部５５とが設けられている。形状検知部５４及び位置検知部５５は、例えばカメラとしてもよく、この場合、人検知部の機能を付加してもよい。
【００１３】
本実施の形態１において、開閉検知部５１、人検知部５２、点灯検知部５３、形状検知部５４は、浴室２の天井３又は側壁５に設けられているが、これに限るものではなく、カバー１０に設けられてもよい。開閉検知部５１、人検知部５２、点灯検知部５３、形状検知部５４は、カバー１０に設けられることによって、開閉検知部５１、人検知部５２、点灯検知部５３、形状検知部５４と、移動体２０との間で信号又は情報等を伝達する配線が、洗浄装置１に集約することができる。このため、開閉検知部５１、人検知部５２、点灯検知部５３、形状検知部５４の設置工事と、配線の施工工事とが簡略化され、工事を省力化する効果が得られる。また、開閉検知部５１、人検知部５２、点灯検知部５３、形状検知部５４は、それらの機能が一つの検知部に設けられてもよい。この場合、検知部が有するカメラが取得した画像データから、扉２ｂ又は窓２ａの開閉、人体の有無、照明２ｃの点灯の有無、浴室２の形状が抽出される。このように、一つの検知部が、複数の機能を有するようにしてもよく、この場合、複数の検知部を備えるよりも、低コスト化することができる。
【００１４】
また、部屋の壁側には、洗浄装置１におけるカバー１０が設けられている。本実施の形態１においては、カバー１０は、天井３に取り付けられているが、天井３に設けられた筐体３０に取り付けられてもよい。この場合、筐体３０とカバー１０とを係合する係合部を設けることによって、カバー１０を容易に取り付けることができる。また、カバー１０を天井３に取り付ける場合に比べて、施工を省力化することができる。
【００１５】
カバー１０は、一辺が折り曲げられた矩形状をなしており、折り曲げ部１１の端部１１ａが天井３に接触して取り付けられている。これにより、折り曲げ部１１の平坦部１２と天井３との間には隙間が形成され、収納空間１６となっている。なお、本発明において、天井３とは、壁に包含される概念であり、カバー１０は、壁に取り付けられている。
【００１６】
また、カバー１０の折り曲げ部１１には、浴室２を暖房又は乾燥するための温風、ミストサウナ用のミスト等を吹き出す吹出口１４が設けられている。なお、吹出口１４からは、洗浄時に洗浄剤が吹き出されてもよい。この場合、洗浄剤は例えば液体とされ、霧化される。霧化された洗浄剤は、送風機によって送風される。温風、ミスト又は洗浄剤等は、夫々独立した配管を流通するように構成されており、例えば洗浄剤が送風される場合、温風及びミストの配管は閉じている。これにより、移動体２０は洗浄剤を散布する必要がなくなり、すすぎ用の水だけを散布すればよい。また、接続部４０は、すすぎ用の水の一つの流路のみを設ければよく、洗浄剤も散布される場合のように複数の流路を設ける必要がない。このため、低コスト化でき、また信頼性が向上する。
【００１７】
図３は、本発明の実施の形態１における浴室２の内観を示す斜視図であり、浴室２の内観を床下側からみた図である。なお、図３では、２方の側壁５が省略されている。図３に示すように、洗浄装置１は、移動体２０を有している。移動体２０は、収納空間１６に収納されており、例えば洗浄時に、収納空間１６から天井３に沿って移動して、カバー１０の外部に露出するものである。なお、移動体２０には柔軟性を有する接続部４０が設けられており、接続部４０によって、筐体３０の内部に収納された電源（図示せず）と移動体２０とが接続されている。
【００１８】
図４は、本発明の実施の形態１に係る洗浄装置１及び筐体３０を示す分解斜視図である。図４に示すように、天井３に取り付けられた筐体３０は、直方体状をなしており、底壁３０ｂには外側に延びるフランジ３０ｃが形成されている。このフランジ３０ｃは、天井３に接触して固定され、これにより、筐体３０が天井３に固定される。底壁３０ｂには、温風、ミスト又は洗浄剤等が通る吹出開口３３が設けられており、吹出開口３３にカバー１０のダクト１５が接続されている。
【００１９】
そして、底壁３０ｂには、送風機（図示せず）によって循環する循環風が通る循環口３２が設けられており、この循環口３２から吸い込まれた空気は、吹出開口３３を通って、ダクト１５に流通する（図４の一点鎖線矢印）。また、底壁３０ｂには、送風機（図示せず）に吸い込まれる空気の吸込口３４が設けられており、この吸込口３４から吸い込まれた空気は、排気口３５から排気用ダクト配管３６を通って排気される（図４の破線矢印）。
【００２０】
また、筐体３０には、２個の孔３７が形成されており、この孔３７には、カバー１０を吊って保持するワイヤ６２が挿通されている。なお、筐体３０の内部には、ワイヤ６２を巻き取ってワイヤ６２の長さを調整するワイヤ長調整部６１（図１５参照）が設けられている。なお、ワイヤ６２は、金属、例えば錆び難いステンレス等でもよいが、紐でもよい。また、筐体３０には、接続部４０が挿通される接続穴３１が設けられており、接続部４０は、接続穴３１に挿通されて、筐体３０の内部に設けられた給水部（図示せず）に接続されている。なお、給水部は、温水を給水するものであってもよい。温水を用いて洗浄することによって、洗浄能力を高めることができる。なお、筐体３０の内部には、接続部４０を巻き取って接続部４０の長さを調整する接続長調整部６０（図１５参照）が設けられている。
【００２１】
前述の如く、カバー１０は、折り曲げ部１１の端部１１ａが天井３に接触して取り付けられている。折り曲げ部１１にはダクト１５が設けられており、ダクト１５の先端は吹出口１４となっており、基端は筐体３０の吹出開口３３に接続されている。これにより、温風、ミスト又は洗浄剤等は、ダクト１５を通って、吹出口１４から吹き出される。また、カバー１０の平坦部１２の端部には、２個の取付部１７が設けられており、筐体３０の孔３７に挿通されたワイヤ６２の先端が取付部１７に取り付けられている。そして、平坦部１２には、移動体２０が載置されている。前述の如く、平坦部１２と天井３との間は、収納空間１６となっており、移動体２０は収納空間１６に収納されている。
【００２２】
次に、カバー１０について詳細に説明する。図５は、本発明の実施の形態１におけるカバー１０を示す斜視図である。図５に示すように、平坦部１２において、折り曲げ部１１と重なっている部分は、ヒンジ部１２ａとなっており、このヒンジ部１２ａを軸として、平坦部１２は、天井３から離れるように回転する。筐体３０には、ワイヤ長調整部６１が設けられており、これにより、ワイヤ６２の長さが調整される。ワイヤ長調整部６１によってワイヤ６２を長くすることによって、平坦部１２は重力により回転して開く。また、ワイヤ長調整部６１によってワイヤ６２を短くすることによって、平坦部１２は回転して閉じる。本実施の形態１は、ワイヤ６２の長さに基づいて平坦部１２の開閉を制御しているが、カバー１０にモータを設け、モータを駆動することによって、平坦部１２を回転させてもよい。
【００２３】
また、平坦部１２には、移動体２０収納時に移動体２０を載置しつつ、移動体２０がカバー１０から浴室２に移動するガイドとなるガイド部１３を有している。ガイド部１３は、平坦部１２のヒンジ部１２ａから平坦部１２の端部まで延びており、平行に２個設けられている。このガイド部１３の上部に移動体２０が載置される。また、ガイド部１３におけるヒンジ部１２ａ側の端部には、上方に突出し、移動体２０を停止させる車止め部１３ａが設けられている。なお、図４に示すように、ガイド部１３は、カバー１０の平坦部１２において、筐体３０の循環口３２及び吸込口３４に対向する部分から逸れるように設けられている。
【００２４】
次に、移動体２０について詳細に説明する。図６、図７、図８は、本発明の実施の形態１における移動体２０を示す斜視図であり、図６は、移動体２０の進行方向側からみた図、図７は、移動体２０の進行方向とは反対側からみた図、図８は、移動体２０の下方側からみた図である。また、図９は、本発明の実施の形態１における移動体２０を示す断面図である。図６、図７、図８に示すように、移動体２０は、部屋の内部を移動する移動部２３及び移動部２３の移動に伴って部屋を洗浄する洗浄部２４を有している。また、図９に示すように、移動体２０は、中空状の本体２２と、本体２２の内部に設けられ、部屋の空気を吸い込んで移動部２３が部屋の壁に吸着するように吸着力を発生させるファン２６と、ファン２６を駆動するファンモータ２６ａとを有している。本実施の形態１は、ファン２６として、軸流ファンを用いているが、ターボファン等の遠心ファンを用いることによって、更に真空度を上げて吸着力を高めてもよい。
【００２５】
本体２２は、直方体状をなしており、部屋の空気が通る吸気口２２ａが下面に設けられ、吸気口２２ａは、吸気カバー２２ｂで覆われている。また、本体２２は、吸気口２２ａから吸気した空気が排気される排気口２２ｃが上面に設けられ、排気口２２ｃは、排気カバー２２ｄで覆われている。なお、移動体２０は、本体２２と部屋の壁との間の気密性を高める気密部材２６ｂを有している。気密部材２６ｂは、環状の部材であり、本体２２の吸気口２２ａの外周部に設けられている。そして、気密部材２６ｂは、部屋の壁と本体２２との隙間を埋めて、気密性を高める。これにより、真空度が高まり、吸着力を向上させることができる。なお、気密部材２６ｂは、環状の部材に限らず、矩形状の部材でもよく、吸気口２２ａより外側を囲う構成であればよい。
【００２６】
また、本体２２の側面のうち対向する２面には、夫々移動部２３が設けられており、移動部２３は、例えば２個の転輪２３ａと、２個の転輪２３ａを囲むように一帯に接続された環状の履板２３ｂとから構成された無限軌道である。そして、本体２２の内部には、モータ（図示せず）が設けられている。一方の転輪２３ａは、モータによって駆動する駆動輪であり、他方の転輪２３ａは、一方の転輪２３ａと軸（図示せず）で連結された非駆動輪である。そして、本体２２の側面のうち、移動部２３が設けられていない面には、洗浄部２４が設けられている。洗浄部２４は、移動部２３の移動に伴って回転するブラシからなり、移動部２３の移動に伴ってブラシが回転することによって、部屋の内部の汚れを落とす。
【００２７】
また、移動体２０において、移動部２３の最外側部は、本体２２よりも外側に張り出している。これにより、移動体２０が床４に落下した場合等にひっくり返っても、移動部２３が床４に当たるため、移動部２３の動力を床４に適切に伝達することができる。このため、移動体２０は、ひっくり返った状態から、元の状態に戻ることができる。また、移動体２０が側壁５に突き当たっても、移動部２３が側壁５に当たるため、移動部２３の動力を側壁５に適切に伝達することができる。
【００２８】
移動体２０は、複数の移動ユニット２１を有しており、例えば移動ユニット２１は２個である。なお、移動ユニット２１は、夫々本体２２、移動部２３、洗浄部２４、ファン２６及びファンモータ２６ａを有している。移動体２０は、移動ユニット２１同士を互いに移動自在に支持する連結部２５を有しており、連結部２５は、本体２２の側面のうち、移動部２３及び洗浄部２４が設けられていない面に設けられている。そして、移動ユニット２１は、連結部２５によって連結されている。連結部２５は、複数の回転機構から構成されており、第１の移動ユニット２１ａ及び連結部２５の第１の移動ユニット２１ａ側には、連結方向に垂直且つ第１の移動ユニット２１ａの幅方向に平行な回転軸２５ａが設けられている。また、第２の移動ユニット２１ｂ及び連結部２５の第２の移動ユニット２１ｂ側にも、連結方向に垂直且つ第２の移動ユニット２１ｂの幅方向に平行な回転軸２５ｂが設けられている。更に、連結部２５には、連結方向に垂直且つ移動体２０の高さ方向に平行な回転軸（図示せず）が設けられている。
【００２９】
そして、連結部２５は、第１の移動ユニット２１ａ、第２の移動ユニット２１ｂの移動に伴って受動的に回転する。なお、連結部２５は、駆動部となるモータ（図示せず）を有しており、能動的にも回転する。第１の移動ユニット２１ａと第２の移動ユニット２１ｂとの間に角度が設けられる場合、連結部２５のモータを駆動して、第１の移動ユニット２１ａ又は第２の移動ユニット２１ｂを回転することによって、第１の移動ユニット２１ａと第２の移動ユニット２１ｂとの間の角度を、任意の角度に設定することができる。これにより、一方の移動ユニット２１は、他方の移動ユニット２１に対し、移動自在に支持されると共に、任意の角度を保ちつつ支持される。
【００３０】
移動体２０の進行方向側の第１の移動ユニット２１ａは、洗浄部２４の上方に第１の吐出部２７ａを有しており、第１の吐出部２７ａは、洗浄剤を吐出するものである。また、移動体２０の進行方向とは反対側の第２の移動ユニット２１ｂは、洗浄部２４の上方に第２の吐出部２７ｂを有している。第２の吐出部２７ｂは、洗浄剤をすすぐ水を吐出するものである。なお、本実施の形態１においては、洗浄剤は、吹出口１４からは散布されず、第１の吐出部２７ａから吐出される。
【００３１】
洗浄剤は、オゾン水又は電解水が用いられてもよい。この場合、筐体３０の内部には、オゾン水生成部又は電解水生成部が設けられる。これにより、洗浄剤の補充が不要となるため、メンテナンス性が向上し、ランニングコストを削減することもできる。
【００３２】
また、洗浄剤としてオゾン水が使用される場合、オゾン水は、ぬめり取りに有効であり、また、反応すると酸素に変わるため放水によるすすぎも不要であり、更に洗浄コストも削減でき、信頼性も高い。なお、電解水としては、アルカリ性電解水と酸性電解水とがあり、アルカリ性電解水は、油脂の洗浄に有効であり、酸性電解水は、殺菌に有効である。洗浄剤として電解水が使用される場合、アルカリ性電解水で洗浄した後に酸性電解水で洗浄することによって殺菌効果が高まると共に、中和されて中性となり信頼性も高い。
【００３３】
図１０は、本発明の実施の形態１における接続部４０を示す断面図である。接続部４０は、第２の移動ユニット２１ｂの洗浄部２４の上方に接続されている。図１０に示すように、接続部４０は、仕切によって内部が区画された二層管であり、一方が洗浄剤用の穴４１ａであり、他方がすすぎに用いる水用の穴４２ａである。電線４１は、接続部４０の穴４１ａ及び穴４２ａの外周の被覆部に、モールド、積層等により、埋め込まれている。電線４１は、筐体３０の内部に設けられた電源と移動体２０との間で送受信される電気信号を伝導するものであり、また、チューブ４２は、洗浄剤又は水等が流通するものである。このように、洗浄装置１は、接続部４０によって、電源、洗浄剤、水等が供給されているため、移動体２０自体に電源、洗浄剤、水等を搭載することが不要である。このため、移動体２０を小型化、軽量化することができる。
【００３４】
図１１、図１２、図１３、図１４は、本発明の他の実施の形態における接続部４０を示す断面図である。接続部４０は、二層管のほかに、図１１に示すように、円管状の仕切によって同心円状に区画された二重管としてもよい。また、図１２に示すように、接続部４０の中心に電線４１用の穴４１ａを設け、その周囲に複数のチューブ４２用の穴４２ａを設けてもよい。更に、図１３に示すように、接続部４０として、１個の線に、隣り合う二本の穴を設け、夫々洗浄剤用の穴４１ａ及びすすぎに用いる水用の穴４２ａとしてもよい。更にまた、図１４に示すように、接続部４０として、電線４１と必要な数のチューブ４２とを別途用意し、電線４１の外面とチューブ４２の外面とを接着してもよい。
【００３５】
次に、洗浄装置１による浴室全体を洗浄する洗浄モードの洗浄動作について説明する。図１５、図１６、図１７、図１８は、本発明の実施の形態１に係る洗浄装置１の洗浄動作を示す断面図である。図１５に示すように、移動体２０は、天井３に設けられた筐体３０の底壁３０ｂとカバー１０との間に形成された収納空間１６に収納されている。移動体２０は、移動部２３の下面が、筐体３０の底壁３０ｂに接触しており、また、移動部２３の上面は宙に浮いた状態である。これは、カバー１０のガイド部１３が、本体２２の吸気口２２ａに対向する排気口２２ｃが設けられた面、即ち本体２２の上面を支えることによって、移動部２３がカバー１０から浮き、移動部２３が底壁３０ｂに接触して移動することを阻害しない。そして、ファン２６が駆動すると、本体２２の吸気口２２ａから空気が吸い込まれ、本体２２における筐体３０側の面が筐体３０の底壁３０ｂに吸着する。一方、本体２２におけるカバー１０側の面は、ガイド部１３に接触しており、本体２２とカバー１０とが離間しているため、ファン２６が駆動すると、吸気口２２ａに吸い込まれた空気が、圧力損失が少ない状態で排気口２２ｃから排気される。これにより、移動部２３は、カバー１０に摩擦されずに、筐体３０の底壁３０ｂに沿って移動し、図１６に示すように、移動体２０は、筐体３０の底壁３０ｂから引き続き天井３に沿って移動する。このとき、第１の移動ユニット２１ａ及び第２の移動ユニット２１ｂは、いずれも筐体３０の底壁３０ｂ又は天井３に面接触している。
【００３６】
なお、移動体２０が移動すると、それに伴って、接続長調整部６０が、接続部４０の長さを調整する。接続部４０が必要以上に露出していると、絡み又は引っ掛かり等が生じて、移動体２０の洗浄動作を妨げる虞がある。また、接続部４０が必要以上に露出していると、その分垂れ下がった接続部４０の重みによって、移動体２０が引っ張られて、ファン２６による吸着力が弱まる。このため、ファン２６を過剰に動作させる必要があるため、ファン２６の負荷が大きくなる。本実施の形態１は、接続長調整部６０によって接続部４０の長さを調整しているため、移動体２０の洗浄動作を妨げず、また、ファン２６の負荷を減らすことができる。
【００３７】
移動体２０が浴室２の隅部に到達すると、第１の移動ユニット２１ａは、第２の移動ユニット２１ｂに対し、水平状態から垂直状態になるように連結部２５によって向きを変える。このとき、第１の移動ユニット２１ａは、側壁５に線接触しているものの、第２の移動ユニット２１ｂは、天井３に面接触している。その後、図１７に示すように、第１の移動ユニット２１ａは、第２の移動ユニット２１ｂに対し垂直状態になり、このとき、第１の移動ユニット２１ａは、側壁５に面接触し、第２の移動ユニット２１ｂは、天井３に面接触している。その後、第２の移動ユニット２１ｂは、第１の移動ユニット２１ａに対し、垂直状態から水平状態になるように連結部２５によって向きを変える。このとき、第２の移動ユニット２１ｂは、天井３に線接触しているものの、第１の移動ユニット２１ａは、側壁５に面接触している。
【００３８】
その後、図１８に示すように、第２の移動ユニット２１ｂは、第１の移動ユニット２１ａに対し水平状態になり、このとき、第１の移動ユニット２１ａ及び第２の移動ユニット２１ｂは、いずれも側壁５に面接触している。このように、洗浄装置１は、連結部２５を有しているため、天井３と側壁５との移動、側壁５と側壁５との移動及び側壁５と床４との移動が容易である。また、移動体２０は、第１の移動ユニット２１ａ及び第２の移動ユニット２１ｂの少なくとも一方は、天井３、側壁５又は床４のいずれかにおいて、常に面接触している。このため、移動体２０が天井３、側壁５又は床４に吸着する力が強まり、移動体２０が落下等することが抑制される。
【００３９】
移動体２０は、図１５〜図１８に示す動作を繰り返しながら、部屋の側壁５において、部屋の内部の上方から下方に向かって、螺旋状に移動する。これにより、洗浄性能が向上し、また、効率良く洗浄することができるため、洗浄時間を短縮することができる。更に、移動体２０は、螺旋状に移動する際、一周おきに移動方向が逆転する。これにより、接続部４０が捩じれることを抑制することができる。側壁５が洗浄された後、床４、浴槽２ｄの洗浄が行われる。洗浄後は、送風機によって浴室２の空気が屋外に排気され、浴室２内が乾燥され、カビやぬめりの元となる菌の繁殖を抑制することによって、洗浄動作が終了する。なお、乾燥工程においては、暖房を併用することによって、乾燥時間を短くしてもよい。
【００４０】
また、移動体２０が移動する際、第１の移動ユニット２１ａにおける第１の吐出部２７ａから洗浄剤が吐出される。そして、吐出された洗浄剤が側壁５等に付着し、洗浄剤が付着した側壁５等が洗浄部２４によりブラッシングされる。その後、第２の移動ユニット２１ｂにおける第２の吐出部２７ｂから吐出される水によって、側壁５等に付着した洗浄剤がすすがれる。これにより、側壁５等が洗浄される。このように、洗浄装置１は、ブラッシングとすすぎとが一工程で完了するため、洗浄時間を短縮することができる。
【００４１】
なお、第１の吐出部２７ａからアルカリ性電解水が吐出され、第２の吐出部２７ｂから酸性電解水が吐出されるように構成してもよい。この場合、移動体２０が移動する際、第１の移動ユニット２１ａにおける第１の吐出部２７ａからアルカリ性電解水が吐出される。そして、吐出されたアルカリ性電解水が側壁５等に付着し、アルカリ性電解水が付着した側壁５等が洗浄部２４によりブラッシングされる。これにより、側壁５等の油が除去される。その後、第２の移動ユニット２１ｂにおける第２の吐出部２７ｂから吐出される酸性電解水によって、側壁５等が殺菌される。また、アルカリ性電解水と酸性電解水とは中和されて中性となる。これにより、側壁５等が洗浄される。このように、第１の吐出部２７ａからアルカリ性電解水が吐出され、第２の吐出部２７ｂから酸性電解水が吐出されるように構成する場合、洗浄時間を短縮することができ、また信頼性も高い。
【００４２】
更に、第１の吐出部２７ａ及び第２の吐出部２７ｂのいずれもからオゾン水が吐出されるように構成してもよい。この場合、移動体２０が移動する際、第１の移動ユニット２１ａにおける第１の吐出部２７ａ及び第２の移動ユニット２１ｂにおける第２の吐出部２７ｂからオゾン水が吐出される。そして、吐出されたオゾン水が側壁５等に付着し、オゾン水が付着した側壁５等が洗浄部２４によりブラッシングされる。これにより、側壁５等のぬめりが除去される。そして、オゾン水は、反応して酸素となる。これにより、側壁５等が洗浄される。このように、第１の吐出部２７ａ及び第２の吐出部２７ｂのいずれもからオゾン水が吐出されるように構成する場合、洗浄時間を短縮することができ、また信頼性も高い。更に、接続部４０におけるチューブ４２は、オゾン水のみが流通するため、チューブ４２の構造が平易である。
【００４３】
次に、洗浄装置１による浴槽２ｄ、床４の洗浄モードの洗浄動作について説明する。なお、ユーザは洗浄モードを選択することによって、洗浄が必要な部分のみを洗浄することができ、洗浄コストを低減することができる。図１９、図２０、図２１、図２２、図２３は、本発明の実施の形態１に係る洗浄装置１の浴槽２ｄの洗浄動作を示す断面図である。図１９に示すように、移動体２０は、天井３に設けられた筐体３０の底壁３０ｂとカバー１０との間に形成された収納空間１６に収納されている。そして、図２０に示すように、カバー１０の平坦部１２が水平方向から垂直方向に回転し、これに伴いワイヤ長調整部６１によってワイヤ６２の長さが調整される。これにより、移動体２０が、垂直方向に向く。その後、図２１に示すように、接続長調整部６０は、移動体２０が浴槽２ｄ、部屋の床４等に到達するように接続部４０の長さを長くする。そして、図２２に示すように、移動体２０は浴槽２ｄに到達し、浴槽２ｄを洗浄する。浴槽２ｄが洗浄された後、図２３に示すように、接続長調整部６０は、移動体２０が収納空間１６に収納されるように接続部４０の長さを短くする。
【００４４】
このように、浴槽２ｄ、床４等を洗浄する場合、移動体２０は、天井３及び側壁５を通らなくとも、直接浴槽２ｄ、床４等に到達することができる。従って、洗浄時間が短縮される。また、洗浄が終了された後、移動体２０は、天井３、側壁５、床４等を通らなくとも、接続長調整部６０によって吊り上げるだけで、収納空間１６に収納される。このため、洗浄後の片付けも容易である。洗浄動作終了後は、浴室２の全体を洗浄する洗浄モードと同様に、浴室２の乾燥工程が行われ、動作完了となる。なお、移動体２０のメンテナンス時においても、移動体２０は、図１９〜図２２に示す動作を行って、床４に到達するように構成してもよい。この場合、作業者は、洗浄部２４の交換等を、天井３ではなく床４で行うことができる。
【００４５】
洗浄装置１は、制御部５０を有しており、制御部５０は、移動体２０の動作を制御するものである。制御部５０は、例えば操作部６の近傍に設けられており、信号線を介して洗浄装置１に接続されている。このように、制御部５０が、操作部６の近傍に設けられることにより、電気部品、回路基板等が、多湿環境における結露等による誤動作をすることが抑制され、また劣化することも抑制される。
【００４６】
図２４は、本発明の実施の形態１における制御部５０を示すブロック図である。図２４に示すように、制御部５０は、開閉検知部５１、人検知部５２、点灯検知部５３、形状検知部５４又は位置検知部５５から信号を受信すると、その信号の内容に基づいて、移動体２０に信号を送信する。具体的には、制御部５０は、開閉検知部５１において窓２ａ又は扉２ｂが閉じていることが検知された場合、移動体２０が動作することを許容するものである。これにより、浴室２の外部に放水されることを抑制することができる。また、制御部５０は、開閉検知部５１において窓２ａ又は扉２ｂが開いていることが検知された場合、移動体２０の動作を停止するものである。これにより、浴室２の外部に放水されることを抑制することができる。
【００４７】
更に、制御部５０は、人検知部５２において部屋に人がいることが検知された場合、移動体２０の動作を停止するものである。これにより、人に放水されることを抑制することができる。更にまた、制御部５０は、点灯検知部５３において照明２ｃが消灯していることが検知された場合、移動体２０が動作することを許容するものである。これにより、浴室２が使用されているときに放水されることを抑制することができ、信頼性が向上する。また、制御部５０は、形状検知部５４又は位置検知部５５の検知結果に基づいて、移動体２０の動作を制御するものである。これにより、部屋の全体を容易にセンシングすることができる。
【００４８】
次に、本実施の形態１に係る洗浄装置１の動作について説明する。図２５は、本発明の実施の形態１に係る洗浄装置１の動作を示すフローチャートである。図２５に示すように、制御が開始されると、先ず、制御部５０によって、浴室２等の部屋の窓２ａが閉じているか否かが判定される（ステップＳＴ１）。部屋の窓２ａが開いていることが判定された場合（ステップＳＴ１のＮｏ）、ステップＳＴ５に進み、移動体２０の動作が停止される。一方、部屋の窓２ａが閉じていることが判定された場合（ステップＳＴ１のＹｅｓ）、制御部５０によって、部屋の扉２ｂが閉じているか否かが判定される（ステップＳＴ２）。部屋の扉２ｂが開いていることが判定された場合（ステップＳＴ２のＮｏ）、ステップＳＴ５に進み、移動体２０の動作が停止される。一方、部屋の扉２ｂが閉じていることが判定された場合（ステップＳＴ２のＹｅｓ）、制御部５０によって、部屋に人がいるか否かが判定される（ステップＳＴ３）。
【００４９】
部屋に人がいることが判定された場合（ステップＳＴ３のＹｅｓ）、ステップＳＴ５に進み、移動体２０の動作が停止される。一方、部屋に人がいないことが判定された場合（ステップＳＴ３のＮｏ）、制御部５０によって、部屋の照明２ｃが消灯しているか否かが判定される（ステップＳＴ４）。部屋の照明２ｃが点灯していることが判定された場合（ステップＳＴ４のＮｏ）、ステップＳＴ５に進み、移動体２０の動作が停止される。これに対し、部屋の照明２ｃが消灯していることが判定された場合（ステップＳＴ４のＹｅｓ）、移動体２０が動作することが許容される（ステップＳＴ６）。即ち、既に移動体２０が動作している場合、その動作は継続される。また、これから移動体２０が動作しようとしている場合、その動作が開始される。そして、移動体２０は、形状検知部５４又は位置検知部５５の検知結果に基づいて、その動作が制御される。
【００５０】
なお、ステップＳＴ１、ステップＳＴ２、ステップＳＴ３、ステップＳＴ４は、連続して実施されているが、個別に実施されてもよい。即ち、部屋の窓２ａが閉じている場合に、直ちに移動体２０の動作が許容されてもよいし、部屋の扉２ｂが閉じている場合に、直ちに移動体２０の動作が許容されてもよいし、部屋に人がいない場合に、直ちに移動体２０の動作が許容されてもよいし、部屋の照明２ｃが消灯している場合に、直ちに移動体２０の動作が許容されてもよい。また、これらのステップＳＴ１、ステップＳＴ２、ステップＳＴ３、ステップＳＴ４は、適宜組み合わせて実施されてもよく、いずれの順序であってもよい。
【００５１】
このように、浴室２の状態が確認された後、扉２ｂをロックするロック部が設けられている場合、制御部５０は、扉２ｂをロックするようにロック部を制御して、扉２ｂを開かないようにする。その後、図１５〜図１８に示す動作が行われつつ、移動体２０において、第１の吐出部２７ａから洗浄剤が散布され、第２の吐出部２７ｂから水が吐出されてすすがれる。そして、吹出口１４から温風が送風され、また送風機による換気が行われて、浴室２及び洗浄装置１の乾燥が行われる。これにより、洗浄が終了し、制御部５０は、扉２ｂのロックを解除するようにロック部を制御して、扉２ｂを開閉自在にする。なお、洗浄剤の散布及び水の吐出が実施されているときにも、浴室２の状態が管理されており、例えば、窓２ａ又は扉２ｂ等が開いた場合、人が浴室２に入室した場合等には、洗浄剤の散布及び水の吐出が停止される。
【００５２】
次に、本実施の形態１に係る洗浄装置１の作用について説明する。移動体２０は、部屋の内部を移動する移動部２３を有している。このため、浴室２等の部屋の全体を洗浄することができる。従って、洗浄の作業負担が軽くなる。また、移動体２０は、カバー１０によって形成される収納空間１６に収納されるものである。このように、洗浄装置１はユニット化されているため、既存の浴室２等の部屋に設置することが容易である。従って、洗浄装置１は、工事性が良好であり、工事コストを削減することもできる。
【００５３】
また、移動体２０は、ファン２６において空気が吸い込まれ部屋の側壁５に吸着する本体２２を有している。このため、浴室２等の部屋の全体を適切に洗浄することができる。
【００５４】
更に、洗浄装置１は、制御部５０によって、部屋に人がいたり、窓２ａ又は扉２ｂが開いたりしているときに、移動体２０の動作が停止される。このため、水等が人にかかったり、水等が室外に放出されたりといった誤操作、誤動作を抑制することができる。
【００５５】
実施の形態２．
図２６は、本発明の実施の形態２に係る洗浄装置１００を示す斜視図である。本実施の形態２に係る洗浄装置１００は、収納空間１６が筐体３０の内部に形成されている点で実施の形態１と相違する。本実施の形態２では、実施の形態１と共通する部分は同一の符号を付して説明を省略し、実施の形態１との相違点を中心に説明する。
【００５６】
図２６に示すように、筐体３０の底壁３０ｂは、筐体３０の内部側に凹んでおり、収納空間１６が形成されている。移動体２０は、収納空間１６に収納されており、洗浄時等にカバー１０が開いて、移動体２０が収納空間１６から移動し、カバー１０の外部に露出する。この場合、カバー１０の折り曲げ部１１の端部１１ａがヒンジ部であり、折り曲げ部１１の端部１１ａを軸としてカバー１０が回転する。本実施の形態２においても、実施の形態１と同様の効果を奏する。
【符号の説明】
【００５７】
１  洗浄装置、２  浴室、２ａ  窓、２ｂ  扉、２ｃ  照明、２ｄ  浴槽、３  天井、４  床、５  側壁、６  操作部、７  報知部、１０  カバー、１１  折り曲げ部、１１ａ  端部、１２  平坦部、１２ａ  ヒンジ部、１３  ガイド部、１３ａ  車止め部、１４  吹出口、１５  ダクト、１６  収納空間、１７  取付部、２０  移動体、２１  移動ユニット、２１ａ  第１の移動ユニット、２１ｂ  第２の移動ユニット、２２  本体、２２ａ  吸気口、２２ｂ  吸気カバー、２２ｃ  排気口、２２ｄ  排気カバー、２３  移動部、２３ａ  転輪、２３ｂ  履板、２４  洗浄部、２５  連結部、２５ａ、２５ｂ  回転軸、２６  ファン、２６ａ  ファンモータ、２６ｂ  気密部材、２７ａ  第１の吐出部、２７ｂ  第２の吐出部、３０  筐体、３０ｂ  底壁、３０ｃ  フランジ、３１  接続穴、３２  循環口、３３  吹出開口、３４  吸込口、３５  排気口、３６  排気用ダクト配管、３７  孔、４０  接続部、４１  電線、４１ａ  穴、４２  チューブ、４２ａ  穴、５０  制御部、５１  開閉検知部、５２  人検知部、５３  点灯検知部、５４  形状検知部、５５  位置検知部、６０  接続長調整部、６１  ワイヤ長調整部、６２  ワイヤ、１００  洗浄装置。
【図１】
2016087547.tif 000003
【図２】
2016087547.tif 000004
【図３】
2016087547.tif 000005
【図４】
2016087547.tif 000006
【図５】
2016087547.tif 000007
【図６】
2016087547.tif 000008
【図７】
2016087547.tif 000009
【図８】
2016087547.tif 000010
【図９】
2016087547.tif 000011
【図１０】
2016087547.tif 000012
【図１１】
2016087547.tif 000013
【図１２】
2016087547.tif 000014
【図１３】
2016087547.tif 000015
【図１４】
2016087547.tif 000016
【図１５】
2016087547.tif 000017
【図１６】
2016087547.tif 000018
【図１７】
2016087547.tif 000019
【図１８】
2016087547.tif 000020
【図１９】
2016087547.tif 000021
【図２０】
2016087547.tif 000022
【図２１】
2016087547.tif 000023
【図２２】
2016087547.tif 000024
【図２３】
2016087547.tif 000025
【図２４】
2016087547.tif 000026
【図２５】
2016087547.tif 000027
【図２６】
2016087547.tif 000028